(57)【要約】【課題】  電磁遮蔽効果及び信頼性に優れたヘッドシールド及び該ヘッドシールドを具備する回転ヘッド装置を提供する。【解決手段】  ヘッドシールド９は外周面９ｅと内周面９ｄとが近づくようにベース部９ａから突出する筒状部９ｂを備えている。また、回転ドラム５の側壁５ａの下端にヘッドコア８ｂを露出させるためのヘッド窓５ｃが設けられ、ヘッド窓５ｃの端部には筒状部９ｂの外周面９ｅを覆うように傾斜面５ｂが設けられている。このため、ヘッド窓５ｃのＺ方向の高さｈ１を筒状部９ｂの幅ｈ３の分だけ小さく抑えておくと共に、ヘッド窓５ｃのＹ方向の幅ｈ２を幅ｈ４より小さく抑えておくことができる。従って、磁気テープＴにデータを書き込むとき等に、ヘッド窓５ｃと磁気テープＴとの接触を防ぐことができる。【選択図】図８
2006031867.tif 000002
【特許請求の範囲】
【請求項１】
テープ状の記録媒体に先端部が接触して該記録媒体にデータを書き込み、または前記記録媒体に記録されたデータを読み出すためのヘッドコアを取り囲むベース部と、
開口を有し、前記ヘッドコアの先端部を前記記録媒体に接触させるために、前記開口を介して前記先端部が露出するように、かつ、前記先端部に接触した状態の前記記録媒体に向かうに従い外周面と内周面とが近づくように前記ベース部から突出する筒状部と
を具備することを特徴とするヘッドシールド。
【請求項２】
請求項１に記載のヘッドシールドであって、
前記外周面は、前記記録媒体に向かうに従い、前記記録媒体の記録面にほぼ垂直な軸であって前記筒状部の中心軸に近づくように設けられていることを特徴とするヘッドシールド。
【請求項３】
請求項１に記載のヘッドシールドであって、
前記筒状部は、前記記録媒体に対向する尖端部を有することを特徴とするヘッドシールド。
【請求項４】
請求項１に記載のヘッドシールドであって、
前記外周面は凸面状に湾曲していることを特徴とするヘッドシールド。
【請求項５】
請求項１に記載のヘッドシールドであって、
当該ヘッドシールドはフェライトで構成されていることを特徴とするヘッドシールド。
【請求項６】
テープ状の記録媒体に先端部が接触して該記録媒体にデータを書き込み、または前記記録媒体に記録されたデータを読み出すためのヘッドコアと、
前記ヘッドコアを取り囲むベース部と、開口を有し、前記ヘッドコアの先端部を前記記録媒体に接触させるために、前記開口を介して前記先端部が露出するように、かつ、前記先端部に接触した状態の前記記録媒体に向かうに従い外周面と内周面とが近づくように前記ベース部から突出する筒状部とを有するヘッドシールドと、
前記開口に対面し前記先端部を露出させるための窓部を有し、前記ヘッドコア及び前記ヘッドシールドを一体的に回転させる回転ドラムと
を具備することを特徴とする回転ヘッド装置。
【発明の詳細な説明】
【技術分野】
【０００１】
本発明は、記録媒体へのデータの書き込み時等に発生する電磁波を遮蔽するヘッドシールド及び該ヘッドシールドを有する回転ヘッド装置に関する。
【背景技術】
【０００２】
近年の情報化の急速な発展の中で、固定ディスク装置、磁気テープ記録装置等の記録密度の向上がめざましい。記録密度の向上と共にデータの転送速度の向上も求められるようになってきている。
【０００３】
磁気テープ記録装置には、記録再生方式の違いで、大きく分けてリニア型とヘリカル型があり、リニア型がいわゆるコンパクトカセット（オーディオ用のカセット）技術の延長であるのに対し、ヘリカル型はＶＴＲ（Video Tape Recorder）技術の延長である。
【０００４】
ヘリカル型の磁気テープ記録装置等は、データを記録再生するための回転ヘッド装置を備えている。回転ヘッド装置は、記録再生時に回転する回転ドラムを有しており、回転ドラムの側壁の下端には、記録ヘッドや再生ヘッドを露出させるためのヘッド窓が設けられている。この回転ヘッド装置では、データの高転送速度化を実現するために、回転ドラムを高速回転化したり、多ヘッド化したりすることが一般的である。特に、データ用の磁気テープ記録装置では、民生用のＶＴＲとは異なり、データを記録と同時に読み出しデータにエラーがある場合にエラー訂正（記録のやり直し）を行っている。そのため、記録信号が再生ヘッドの外来ノイズ（以下、飛び込みノイズという。）となる場合がある。多ヘッド化する技術では、記録ヘッドと再生ヘッドとの距離が近くなり、飛び込みノイズの影響が大きくなることがわかっている。
【０００５】
飛び込みノイズの影響を小さくするために、フェライト系の材料等からなるヘッドシールドを各ヘッドの周囲に設置する技術等が開示されている。その場合、各ヘッドコアに巻かれたまき線が見えないくらいにヘッドコアをヘッドシールドで取り囲むことが効果的であることがわかっている。（例えば、特許文献１、２参照。）。  
【特許文献１】特開２００３−２５７００４号公報（段落[００１９]、図２）
【特許文献２】特開第３１０６５９４号公報（段落[０００８]、図２）
【発明の開示】
【発明が解決しようとする課題】
【０００６】
しかしながら、回転ドラムのヘッド窓近傍の横断面図に示すように、ヘッドコアに巻かれたまき線が見えないくらいにヘッドコアをヘッドシールドで取り囲むためには、ヘッドコアだけでなく、ヘッドシールドそのものもヘッド窓内に設ける必要がある。例えば、ヘッドシールドの先端を、回転ドラムの側壁の外面から中心側に５０〜２００μｍの位置にまで設ける必要がある。この場合には、電磁遮蔽効果に優れるが、回転ドラムのヘッド窓の幅がヘッドシールドの肉厚の２倍分（０．４〜１ｍｍ）大きくなる。ヘッド窓が必要以上に大きくなると、磁気テープ走行中にヘッド窓やヘッドシールドと、磁気テープとが接触し磁気テープが損傷したりする可能性が大きくなり、装置の信頼性を損ねる、という問題がある。
【０００７】
以上のような事情に鑑み、本発明の目的は、電磁遮蔽効果及び信頼性に優れたヘッドシールド及び該ヘッドシールドを具備する回転ヘッド装置を提供することにある。
【課題を解決するための手段】
【０００８】
上記目的を達成するため、本発明に係るヘッドシールドは、テープ状の記録媒体に先端部が接触して該記録媒体にデータを書き込み、または前記記録媒体に記録されたデータを読み出すためのヘッドコアを取り囲むベース部と、開口を有し、前記ヘッドコアの先端部を前記記録媒体に接触させるために、前記開口を介して前記先端部が露出するように、かつ、前記先端部に接触した状態の前記記録媒体に向かうに従い外周面と内周面とが近づくように前記ベース部から突出する筒状部とを具備する。
【０００９】
本発明では、ヘッドシールドは外周面と内周面とが近づくようにベース部から突出する筒状部を有している。このため、例えば、ヘッドコア及びヘッドシールドを一体的に回転させるための回転ドラムに、ヘッドコアの先端部を露出させると共に筒状部の外周面を覆うように窓部を設けることで、筒状部がベッド窓から露出する場合に比べて窓部の大きさを小さくできる。従って、記録媒体にデータを書き込むとき等に、窓部に記録媒体が接触することを防ぐことができるので、記録媒体の損傷を低減させ信頼性を向上させることができる。また、ヘッドコアが筒状部に取り囲まれているので、電磁遮蔽効果を損ねることもない。
【００１０】
本発明の一の形態によれば、前記外周面は、前記記録媒体に向かうに従い、前記記録媒体の記録面にほぼ垂直な軸であって前記筒状部の中心軸に近づくように設けられている。このため、例えば、筒状部の外周面を覆うように回転ドラムに窓部を設けることで、外周面を覆う分だけ確実に回転ドラムの窓部の大きさを小さくすることができる。
【００１１】
本発明の一の形態によれば、前記筒状部は、前記記録媒体に対向する尖端部を有する。このため、例えば、筒状部の尖端部まで覆うように回転ドラムに窓部を設けることで、回転ドラムの窓部の大きさを、ヘッドシールドを設けない場合のベッド窓の大きさと同じにすることができる。この場合には、窓部と記録媒体との接触を最小限に留めることができると共に、ヘッドシールドが窓部から露出しないので、ヘッドシールドと記録媒体との接触がなくなりヘッドシールドによる記録媒体の損傷を防止することができる。
【００１２】
本発明の一の形態によれば、前記外周面は凸面状に湾曲している。これにより、筒状部の厚さを極力厚くすることができるので、ヘッドコアの電磁遮蔽効果を向上させることができる。
【００１３】
本発明の一の形態によれば、当該ヘッドシールドはフェライトで構成されている。これにより、記録媒体にデータを書き込むとき等に、ヘッドコアの周りに磁界が発生してもフェライトは透磁率が比較的高いので、磁束を吸収することができる。
【００１４】
本発明に係る回転ヘッド装置は、テープ状の記録媒体に先端部が接触して該記録媒体にデータを書き込み、または前記記録媒体に記録されたデータを読み出すためのヘッドコアと、前記ヘッドコアを取り囲むベース部と、開口を有し、前記ヘッドコアの先端部を前記記録媒体に接触させるために、前記開口を介して前記先端部が露出するように、かつ、前記先端部に接触した状態の前記記録媒体に向かうに従い外周面と内周面とが近づくように前記ベース部から突出する筒状部とを有するヘッドシールドと、前記開口に対面し前記先端部を露出させるための窓部を有し、前記ヘッドコア及び前記ヘッドシールドを一体的に回転させる回転ドラムとを具備する。
【００１５】
本発明では、ヘッドシールドは外周面と内周面とが近づくようにベース部から突出する筒状部を有し、回転ドラムにはヘッドコアの先端部を露出させるための窓部が設けられている。このため、例えば回転ドラムに、筒状部の外周面を覆うように窓部を設けることで、筒状部がベッド窓から露出する場合に比べて窓部の大きさを小さくできる。従って、例えば、記録媒体にデータを記録するとき等に、窓部に記録媒体が接触することを防止することができるので、記録媒体の損傷を低減させ信頼性を向上させることができる。このとき、ヘッドコアを取り囲むように筒状部が設けられているので、電磁遮蔽効果を損ねることもない。
【発明の効果】
【００１６】
以上のように、本発明によれば、ヘッドコアを取り囲むようにヘッドシールドを設けることができると共に回転ドラムの窓部を小さくでき、電磁遮蔽効果を損ねることなく窓部と記録媒体との接触を防止し信頼性を向上させることができる。
【発明を実施するための最良の形態】
【００１７】
以下、本発明の実施の形態を図面に基づき説明する。
【００１８】
図１は本発明に係る第１の実施の形態の回転ヘッド装置を示す縦断面図、図２は図１に示す回転ヘッド装置のＡ−Ａ断面図である。
【００１９】
本実施形態の回転ヘッド装置１０は、モータ１、モータ１により回転可能な回転ドラム５、回転ドラム５の下方に設けられた下ドラム６等を備えて構成されている。
【００２０】
モータ１は、回転ヘッド装置１０の中央に回転可能に設けられた回転軸１ｃと、コイルが巻回されたステータ１ａと、ステータ１ａの周りで回転可能なロータ１ｂとを備えている。ステータ１ａのコイルに電流を流すことで、ロータ１ｂと一体的に回転軸１ｃを回転させることができるように構成されている。
【００２１】
下ドラム６は、モータ１の回転軸１ｃの周りに回転しないように固定して設けられている。下ドラム６は、下ドラム６の底に設けられた底面部６ａと、外周部に設けられた円周状の側壁６ｂを備えている。底面部６ａの上面側には、ロータリートランス７が設けられている。ロータリートランス７は、微小間隔で互いに対向して配置されたステータ７ａとロータ７ｂとを備えている。ステータ７ａは、底面部６ａ上に配置されており、上面には複数のリング状のコイルが同心円状に設けられている。ステータ７ａのコイルは、磁気テープにデータを書き込むための記録信号を出力する図示を省略した基板に接続されている。ロータ７ｂは、回転ドラム５の底面部に回転ドラム５と一体的に回転可能に設けられており、複数のリング状のコイルが同心円状に設けられている。ロータリートランス７は、記録信号を下ドラム６側から回転ドラム５側に非接触で伝達するために用いられている。
【００２２】
回転ドラム５は、下ドラム６の上方かつ回転軸１ｃの周りに設けられている。図１及び図２に示すように、回転ドラム５の外周側の底面５ｈには、ロータリートランス７を介して伝達された記録信号を磁気テープに書き込むためのヘッド８、磁気テープに書き込まれたデータを読み出すためのヘッド１８が、略等間隔、すなわち、等角度（約４５度）で１つおきに配設されている。
【００２３】
記録用のヘッド８は、回転ドラム５の底面５ｈにネジ止めされたヘッドベース８ａと、ヘッドベース８ａの先端部の上面側に設けられたヘッドコア８ｂとを備えている。ヘッドコア８ｂの周りには、磁気テープにデータを書き込むために図示を省略したコイルが巻回されている。ヘッドコア８ｂに巻回されたコイルは、ロータ７ｂのコイルに接続されている。再生用のヘッド１８もヘッド８と同様に回転ドラム５に設けられている。
【００２４】
回転ドラム５の上方かつ回転軸１ｃの周りには、軸受け３を介して蓋部材５１が設けられている。蓋部材５１の内側には、ロータリートランス４が設けられている。ロータリートランス４は、ロータリートランス７と同様の構造であり、ステータ７ａ及びロータ７ｂと略同じ構造のステータ４ａ及びロータ４ｂを備えている。ロータ４ｂは回転ドラム５の上端面に設けられ、ロータ４ｂのコイルは、再生用のヘッド１８のヘッドコア１８ｂに巻回されたコイルに接続されている。ステータ４ａは、図示を省略したデータ処理部に接続されている。ロータリートランス４は、磁気テープから再生用のヘッド１８により読み出した再生信号を上記データ処理部に伝達するために用いられている。データ処理部では、再生信号が記録すべき記録信号と同一か否かが判断され、同一でないときにデータにエラーがあると判断し、記録しなおすことが可能とされている。
【００２５】
図３は、回転ヘッド装置１０のヘッド近傍の拡大正面図である。
【００２６】
回転ドラム５の側壁５ａの下端部には、ヘッドコア８ｂ、１８ｂを露出させるためのヘッド窓５ｃが形成されている。ヘッド窓５ｃのＺ方向の高さは高さｈ１に設定され、Ｙ方向の幅は幅ｈ２に設定されている。ヘッド窓５ｃの中には、ヘッドコア８ｂが設けられており、ヘッドコア８ｂの先端部はテープに接触するようにヘッド窓５ｃから回転ドラム５の外に露出している。ヘッドコア８ｂの周りには、磁気テープにデータを書き込むとき等に発生する電磁波を遮蔽するヘッドシールド９が設けられている。以下、ヘッドシールドについて説明する。
【００２７】
図４〜図６は回転ヘッド装置１０のヘッドシールドを示す平面図、背面図及び底面図、図７は図４に示すヘッドシールドのＢ−Ｂ断面図である。
【００２８】
ヘッドシールド９は、ヘッドコア８ｂ又は１８ｂを覆うためのベース部９ａと、ベース部９ａからヘッドコア８ｂに接触する磁気テープＴに向けてＸ方向に突出する筒状部９ｂとを備えている。筒状部９ｂは、ヘッドコア８ｂに対向する内周面９ｄと、外周面９ｅとを備えている。内周面９ｄはヘッドコア８ｂの長手方向に略平行に設けられている。外周面９ｅは、磁気テープＴに向かうに従い、磁気テープＴの記録面にほぼ垂直な筒状部９ｂの中心軸Ｐに近づくように設けられている。筒状部９ｂの磁気テープＴに対向する部位９ｓは尖った形状となっている。
【００２９】
図５に示すように、ベース部９ａは、ヘッドコア８ｂ又は１８ｂの上方に設けられる上壁部９ｇと、上壁部９ｇに対して垂直に設けられる垂直壁９ｈとで構成されている。垂直壁９ｈの略中央には開口９ｃが設けられており、この開口９ｃを介してヘッドコア８ｂ又は１８ｂの先端部が露出している。開口９ｃのＺ方向の高さは、ヘッド窓の高さｈ１と略同じ長さに設定されている。ヘッドシールド９の上壁部９ｇには、ヘッドベース８ａを回転ドラム５に固定するためのネジとの干渉を避けるために半円状の切り欠き９ｆが形成されている。
【００３０】
ヘッドシールド９の構成材料には、例えば、フェライト等の磁性体が用いられている。磁気テープＴにデータを書き込むとき等に、ヘッドコア８ｂの周りに磁界が生じてもフェライトは透磁率が比較的高いので、磁束を吸収することができる。従って、ヘッド８の記録信号がヘッド１８の飛び込みノイズとなることを防止することができる。
【００３１】
図７に示すように、ヘッドシールド９の筒状部９ｂは、内周面９ｄと、内周面９ｄの外側に設けられた外周面９ｅとを備えている。外周面９ｅは、ヘッドコア８ｂに接触した状態の磁気テープＴに向かうに従い（Ｘ方向に向かうに従い）内周面９ｄに近づくように、すなわち、中心軸Ｐに近づくように設けられている。筒状部９ｂのＺ方向の幅は幅ｈ３に設定されている。
【００３２】
ヘッドシールド９の垂直壁９ｈの前面９ｍは、回転ドラム５の側壁５ａの内面５ｆに当接して設けられる。ヘッド窓５ｃの端部には、ヘッドシールド９の外周面９ｅに重ね合わされる傾斜面５ｂが設けられている。ヘッドシールド９の筒状部９ｂは、回転ドラム５の内面５ｆ側から外面５ｄ側に亘って設けられる。
【００３３】
図８は、図３に示す回転ヘッド装置１０のＣ−Ｃ断面図である。
【００３４】
回転ドラム５のヘッド窓５ｃの端部には、ヘッドシールド９の筒状部９ｂの外周面９ｅに重ね合わされる傾斜面５ｂが設けられている。傾斜面５ｂは、ベース部９ａから磁気テープＴに向けてヘッド窓５ｃのＹ方向の幅ｈが狭まるように設けられている。幅ｈは、側壁５ａの内面５ｆ側で幅ｈ４、外面５ｄ側で幅ｈ２（ｈ２<ｈ４）に設定されている。
【００３５】
本実施形態の回転ヘッド装置１０の動作について説明する。
【００３６】
モータ１のステータ１ａのコイルに電流を流すと、ロータ１ｂが回転力を受けて回転する。この回転力は回転軸１ｃを介して回転ドラム５に伝達され、回転ドラム５と一体にヘッド８、１８及び各ヘッドシールド９が回転する。これにより、ヘッド８、１８が磁気テープ上をヘリカルスキャンする。
【００３７】
磁気テープＴへのデータの書き込み時には、図示を省略した基板から記録信号が出力される。この記録信号は、ロータリートランス７のステータ７ａのコイルに流れ、非接触でロータ７ｂのコイルに伝達されヘッド８のヘッドコア８ｂのコイルに伝達される。記録用のヘッド８は、この記録信号により磁気テープ上にデータを記録する。
【００３８】
再生用のヘッド１８は、ヘッドコア１８ｂに巻回されたコイルにより磁気テープＴに一旦記憶されたこのデータを再生信号として読み出す。この読み出された再生信号は、ロータリートランス４のロータ４ｂのコイルに流れ、非接触でステータ４ａに伝達され図示を省略したデータ処理部に伝達される。データ処理部は、データにエラーがある場合にエラー訂正（記録のやり直し）を行う。
【００３９】
このように、エラー訂正を行うために、データの書き込み、読み出しが同時に行われている。特に、磁気テープＴへのデータの書き込み時には、ヘッドコア８ｂに巻回されたコイルに大きな電流が流れ、ヘッドコア８ｂの周りに強い磁界が発生する。
【００４０】
以上のように、本実施形態では、ヘッドシールド９は外周面９ｅと内周面９ｄとが近づくようにベース部９ａから突出する筒状部９ｂを備えている。また、回転ドラム５の側壁５ａの下端にヘッドコア８ｂの先端部を露出させるためのヘッド窓５ｃが設けられ、ヘッド窓５ｃの端部には筒状部９ｂの外周面９ｅを覆うように傾斜面５ｂが設けられている。
【００４１】
従来、図１４の回転ドラムのヘッド窓近傍の横断面図に示すように、ヘッドコア２５に巻かれたまき線が見えないくらいにヘッドコア２５をヘッドシールド２２で取り囲むためには、ヘッドコア２５だけでなく、ヘッドシールド２２そのものもヘッド窓２３内に設ける必要がある。例えば、ヘッドシールド２２の先端２２ａを、回転ドラムの側壁２４の外面から中心側に５０〜２００μｍの位置にまで設ける必要がある。この場合には、電磁遮蔽効果に優れるが、回転ドラムのヘッド窓２３の幅がヘッドシールド２２の肉厚ａの２倍分（２ａ：０．４〜１ｍｍ）大きくなる。ヘッド窓２３が必要以上に大きくなると、磁気テープ走行中にヘッド窓２３やヘッドシールド２２と、磁気テープとが接触し磁気テープが損傷したりする可能性が大きくなり、装置の信頼性を損ねていた。
【００４２】
本実施形態では、図１４に示す従来のヘッド窓２３の大きさに比べて、図７に示すようにヘッド窓５ｃのＺ方向の高さｈ１を筒状部９ｂの幅ｈ３の分だけ小さく抑えることができると共に、図８に示すようにヘッド窓５ｃのＹ方向の幅ｈ２を幅ｈ４より小さく抑えることができる。従って、磁気テープＴにデータを書き込むとき等に、ヘッド窓５ｃに磁気テープＴが接触することを防止することができるので、磁気テープＴの損傷を低減させ信頼性を向上させることができる。各ヘッドシールド９の筒状部９ｂは、回転ドラム５の側壁５ａの外面５ｄ側まで設けられており、各ヘッドコア８ｂ及び１８ｂがそれぞれ筒状部９ｂに取り囲まれている。従って、電磁遮蔽効果を損ねることもない。
【００４３】
本実施形態では、筒状部９ｂは先端９ｓが尖端状とされており、外周面９ｅ及び尖端部９ｓを覆うようにヘッド窓５ｃが設けられている。このため、回転ドラム５のヘッド窓５ｃの大きさを、ヘッドシールド９を設けない場合のベッド窓の大きさと同じにすることができる。この場合には、ヘッド窓５ｃと磁気テープＴとの接触を防ぐことができると共に、ヘッドシールド９がヘッド窓５ｃから露出しないので、ヘッドシールド９と磁気テープＴとの接触がなくなりヘッドシールド９による磁気テープＴの損傷を防止することができる。また、回転ドラム５内に異物が混入している場合に、この異物が回転ドラム５の外部へ飛び出す量や回転ドラム５の外部の異物が回転ドラム５内に入る量を最小限に留めることができる。
【００４４】
図９及び図１０はそれぞれ従来及び本実施形態の回転ヘッド装置を用いて回転ドラムの突き出し量を測定した結果を示すグラフである。突き出し量とは、回転ドラム５の外面５ｄを基準の位置としたときに、回転ドラム５の直径の方向で、基準の位置から磁気テープＴの位置までの距離を示す。図９及び図１０に示すグラフにおいて横軸の角度は、ヘッド８の回転角度を示す。なお、磁気テープの突き出し量と共に、回転ドラム５の形状を示す回転ドラム５の突き出し量も測定しているが、このグラフは今問題とせず、磁気テープに注目する。また、角度２７０及び３１５度付近は、ヘッド窓５ｃが設けられている位置を示している。
【００４５】
図９に示すように、従来の回転ヘッド装置を用いる場合には、磁気テープにデータを記録するとき等に突き出し量が±２５μｍを超えた。これに対して、図１０に示すように、本実施形態の回転ヘッド装置１０を用いた場合には、突き出し量を±２５μｍ未満に抑えることができた。従って、本実施形態では、ヘッドコア８ｂ、１８ｂと磁気テープＴとの接触等による磁気テープＴの損傷を低減できることが分かった。
【００４６】
次に、ヘッドシールドの第２〜第４の実施の形態について図１１〜図１３を参照しながら説明する。第２〜第４の実施の形態において、上記第１の実施の形態に係る回転ヘッド装置１０の部材や機能等について同様のものは説明を簡略または省略し、異なる点を中心に説明する。
【００４７】
図１１に示すように、第２の実施の形態の回転ヘッド装置に用いられるヘッドシールド３１の筒状部３１ｂは、凸面状に湾曲した外周面３１ｅを有する。また、回転ドラムの側壁１５ａに設けられたヘッド窓１５ｃの端面１５ｂは、外周面３１ｅに重ね合わされる凹面状の形状である。これにより、筒状部３１ｂの外周面３１ｅと、端面１５ｂとを重ね合わせ、ヘッドシールド３１の筒状部３１ｂのＹ方向及びＺ方向の厚さを極力厚くすることができる。このようなヘッドシールド３１を用いることで、ヘッドコア８ｂ及び１８ｂの電磁遮蔽効果を向上させることができる。
【００４８】
図１２に示すように、第３の実施の形態の回転ヘッド装置に用いられるヘッドシールド３２は、凹面状に湾曲した外周面３２ｅを有する筒状部３２ｂを備えている。また、回転ドラムの側壁２５ａに設けられたヘッド窓２５ｃの端面２５ｂは、外周面３２ｅに重ね合わされる凸面状の形状である。このようなヘッドシールド３２を用いても、ヘッドコア８ｂ及び１８ｂの電磁遮蔽効果を向上させることができる。
【００４９】
図１３に示すように、第４の実施の形態の回転ヘッド装置に用いられるヘッドシールド１９の筒状部１９ｂは、ヘッドコア８ｂ又は１８ｂに略平行に設けられた内周面１９ｄと、内周面１９ｄに略平行に設けられた外周面１９ｅと、磁気テープに向かうに従い（Ｘ方向に向かうに従い）内周面１９ｄに近づく傾斜面１９ｆとを備えている。また、回転ドラムの側壁３５ａのヘッド窓の端面３５ｂは、傾斜面１９ｆ及び外周面１９ｅに重なり合わされる形状である。このため、側壁３５ａの外面３５ｄにより近い位置まで、Ｙ方向及びＺ方向の厚さの厚い筒状部１９ｂを設けることができるので、ヘッドコア８ｂ及び１８ｂの電磁遮蔽効果をより向上させることができる。
【００５０】
本発明は以上説明した実施の形態には限定されるものではなく、種々の変形が可能である。
【００５１】
上記実施形態では、例えば図７に示すようにヘッドシールド９の筒状部９ｂが所定の角度で内周面９ｄに対して傾斜する外周面９ｅを備えている例を示した。しかし、外周面９ｅの傾斜角度はこれに限定されない。例えば、筒状部の厚さを厚くするように傾斜角度を変えるようにしてもよい。
【００５２】
上記実施形態では、図２に示すように回転ドラム５の底面５ｈに、等方的に８個のヘッド８、１８を１つおきに設ける例を示した。しかし、この数は限定されるものではなく例えば１２個のヘッド８を等間隔に設けるようにしてもよい。
【図面の簡単な説明】
【００５３】
【図１】本発明に係る第１の実施の形態の回転ヘッド装置を示す縦断面図である。
【図２】図１に示す回転ヘッド装置のＡ−Ａ断面図である。
【図３】回転ヘッド装置のヘッド近傍の拡大正面図である。
【図４】ヘッドシールドを示す平面図である。
【図５】図４に示すヘッドシールドを示す背面図である。
【図６】図４に示すヘッドシールドを示す底面図である。
【図７】図４に示すヘッドシールドのＢ−Ｂ断面図である。
【図８】図３に示す回転ヘッド装置のＣ−Ｃ断面図である。
【図９】従来の回転ヘッド装置を用いて回転ドラムの突き出し量を測定した結果を示すグラフである。
【図１０】第１の実施の形態の回転ヘッド装置を用いて回転ドラムの突き出し量を測定した結果を示すグラフである。
【図１１】本発明に係る第２の実施の形態の回転ヘッド装置のヘッドシールド近傍を示す断面図である。
【図１２】本発明に係る第３の実施の形態の回転ヘッド装置のヘッドシールド近傍を示す断面図である。
【図１３】本発明に係る第４の実施の形態の回転ヘッド装置のヘッドシールド近傍を示す断面図である。
【図１４】従来の回転ヘッド装置のヘッドシールドを示す断面図である。
【符号の説明】
【００５４】
Ｔ…磁気テープ
Ｐ…中心軸
５…回転ドラム
５ｃ…ヘッド窓
８、１８…ヘッド
８ａ、１８ａ…ヘッドベース
８ｂ．１８ｂ…ヘッドコア
９、１９、３１、３２…ヘッドシールド
９ａ…ベース部
９ｂ、１９ｂ、３１ｂ、３２ｂ…筒状部
９ｄ、１９ｄ…内周面
９ｅ、３１ｅ、３２ｅ…外周面
９ｓ…尖端部
１０…回転ヘッド装置
【図１】
2006031867.tif 000003
【図２】
2006031867.tif 000004
【図３】
2006031867.tif 000005
【図４】
2006031867.tif 000006
【図５】
2006031867.tif 000007
【図６】
2006031867.tif 000008
【図７】
2006031867.tif 000009
【図８】
2006031867.tif 000010
【図９】
2006031867.tif 000011
【図１０】
2006031867.tif 000012
【図１１】
2006031867.tif 000013
【図１２】
2006031867.tif 000014
【図１３】
2006031867.tif 000015
【図１４】
2006031867.tif 000016